【事件の表示】
　特願２００６−２２６７１２「音声認識／応答型携帯電話、携帯電話の操作方法、及び携帯電話の操作プログラム」拒絶査定不服審判事件〔平成２０年　３月　６日出願公開、特開２００８−　５３９３７〕について、次のとおり審決する。
【結　論】
　本件審判の請求は、成り立たない。
【理　由】
１．手続の経緯 
　本願は、平成１８年８月２３日の出願であって、原審において平成２３年３月３１日付けで拒絶査定がなされ、これに対し同年６月７日に審判請求がなされたものである。 
　
　
２．本願発明 
　本件出願の請求項に係る発明は、平成２３年２月２日付けで補正された明細書及び図面の記載からみて、その特許請求の範囲の請求項１〜３０に記載されたとおりのものであるところ、その請求項１の記載は次のとおりである。 
 　 
　「【請求項１】
　利用者からの音声を受ける受話手段と、
　前記受話手段で受けた音声を解読する解読手段と、
　所定の音声と該所定の音声に対応して実行する機能とを関連付けて記憶する音声パターン格納手段とを有し、
　前記解読手段で解読された音声と前記音声パターン格納手段に格納された前記所定の音声とが一致したとき、該所定の音声と関連付けて記憶される機能を実行する音声認識／応答型携帯電話であって、
　前記音声パターン格納手段は、発信番号に係る音声と相手先へ発信する電話発信機能とを関連付けて記憶し、
　前記解読手段によって解読された音声が前記発信番号であったとき、該発信番号へ発信し、
該発信番号への発信が完了すると、前記受話手段で音声を受けることに代えて、操作部で前記実行する機能を受け付けることを特徴とする音声認識／応答型携帯電話。」 
　
　
３．引用例に記載された発明 
　Ａ．原審で通知した拒絶理由に引用した、特開平８−１３０５７４号公報（以下、「引用例１」という。）には、「音声入力型通信装置」として、図面とともに以下の記載がある。 
　
　イ．「【請求項１】使用者の音声パターンを記憶する音声記憶部と、通信に必要な音声を入力するための音声入力部と、この音声入力部より入力された音声を、音声記憶部に入力された音声パターンと比較判別する音声認識部と、音声出力部とを備え、上記音声入力部より入力された音声を、上記音声認識部で判別した後、上記音声出力部から音声メッセージ若しくは表示部上にメッセージを確認のために出力させる構成とした音声入力型通信装置。
【請求項２】上記通信装置は、自動発呼機能を有したファクシミリ装置であり、発呼先の電話番号、短縮番号などを音声で入力した後は、発呼前に発呼先の名称などを音声メッセージを出力させて確認出来るようにした請求項１に記載の音声入力型通信装置。
【請求項３】上記通信装置は、自動発呼機能を有した電話機であり、発呼先の電話番号、短縮番号などを音声で入力した後は、発呼前に発呼先の名称などを音声メッセージを出力させて確認出来るようにした請求項１に記載の音声入力型通信装置。」（２頁１欄）
　
　ロ．「【０００１】
【産業上の利用分野】本発明は、音声パターンを予め記憶しておいて、音声で発呼先電話番号等を入力しこの音声が予め記憶されている音声に合致しているかどうかを判別した後に、音声メッセージ若しくは表示部上にメッセージを出力させて確認するようにしたファクシミリ装置、電話機などの音声入力型通信装置に関する。
【０００２】
【従来の技術】従来、ファクシミリ装置や電話機などの通信装置において、テンキーやワンタッチキーを押して発呼する以外のものとして、ＯＣＲ文字やマークシートなどに発呼先の電話番号を記入して、これをＯＣＲで読み込ませて、発呼先を呼び出すようにした通信装置が提案されている。
【０００３】ところが，このような通信装置では、ＯＣＲ文字やマークシートなどに発呼先の電話番号を記入する作業や、これをＯＣＲで読み込ませる作業が必要であるために、煩わしく、また、このような文字認識によって、ダイヤルするものは、その認識率が１００％のものが得られないという問題があった。
【０００４】
【発明が解決しようとする課題】本発明は、上記従来の問題に鑑みてなされたものであって、テンキーやワンタッチキーを操作する煩わしさがなく、音声確認機能を備えた音声入力型通信装置を提供することを目的としている。」（２頁１欄）
　
　ハ．「【００１０】
【実施例】以下、本発明に係る音声入力型通信装置の一実施例について、図面を参照しつつ説明する。尚、本実施例では、音声入力型通信装置として自動発呼機能を有するファクシミリ装置について説明するが、これに限らず、例えば電話機などの他の通信装置にも適用できるものである。
【００１１】図１は、本実施例のファクシミリ装置Ｆの内部構造を示すブロック図である。このファクシミリ装置Ｆには、信号処理部（ＣＰＵ）１、ＲＡＭ２、ＲＯＭ３、画像読取部４、印字出力部５、表示部６、操作部７が備えられ、信号処理部（ＣＰＵ）１と電話回線Ｌとの間には、モデム８、プロトコル発生回路９、プロトコル検出回路１０、電話機１１に接続された回線制御部１２が設けられている。
【００１２】このファクシミリ装置Ｆには、使用者の音声パターンを記憶する音声記憶部１３と、通信に必要な音声を入力するための音声入力部１４と、この音声入力部１４より入力された音声を、音声記憶部１３に入力された音声パターンと比較判別する音声認識部１５と、音声出力部１６と、自動発呼機能を実現するためのオートダイヤラー１７とが更に備えられている。
【００１３】そして、音声入力部１４より入力された音声を、音声認識部１５で判別した後、音声出力部１６から音声メッセージ若しくは表示部６上にメッセージを確認のために出力させる構成となっている。即ち、発呼先の電話番号、短縮番号などを音声で入力した後は、発呼前に発呼先の名称などを音声メッセージ若しくは表示部６上にメッセージを出力させて確認出来るようになっている。」（２頁２欄〜３頁３欄）
　
　ニ．「【００１４】次に、このファクシミリ装置Ｆの動作手順を図２（ａ）（ｂ）のフローチャートを参照しつつ説明する。図２（ａ）に示すように，使用者の音声パターンを入力すると、この音声パターンが音声記憶部１３に記憶される（ステップ１０１，ステップ１０２参照）。この音声パターンの記憶は、ファクシミリ装置Ｆによる送信前に、予め行っておく。
【００１５】次に、ファクシミリ送信するときには、音声を音声入力部１４に入力すると、音声認識部１５で、この入力された音声と音声記憶部１３に記憶されている音声パターンとが一致しているかどうかが音声認識部１５で比較判別される（ステップ２０１〜ステップ２０３参照）。音声が一致していない場合には、ステップ２０１に戻り、再度上記と同様の動作が行われ、一致したときには、音声出力部１６から確認のための音声若しくは表示部６上にメッセージが出力される（ステップ２０４参照）。
【００１６】ここで、ＯＫであるかどうかを判断し、ＯＫでない場合には、「ＮＯ」と音声若しくは操作部７のキーで入力した後、ステップ２０１に戻り、再度上記と同様の動作が行われ、ＯＫである場合には、「ＯＫ」と音声若しくは操作部７のキーで入力した後に、ファクシミリ装置Ｆは、自動発呼機能によって発呼先をオートダイヤラー１７で自動的にダイヤル発呼し、発呼先の受信が確認された後に、一連のファックス手順が行われて、ファクシミリ送信が実行される（ステップ２０５〜ステップ２０８）。
【００１７】音声入力を行うときには、図３に示すファクシミリ装置Ｆに設けられた音声動作モード選択用の押しボタンＳを押してから、ファクシミリ装置Ｆに対して使用者Ｍが直接、又はワイヤレスマイクＷＭなどを用いて音声入力を行うようにすればよい。ワイヤレスマイクＷＭを使用する場合は、原稿をいったんメモリに記憶しておいて、発呼を指令したときにファクシミリ送信するメモリ送信機能を有するものが好ましい。符号１８は、ファクシミリ装置Ｆからの音声を外部に出力するためのスピーカである。尚、図４は、音声入力型通信装置が電話機Ｔである場合の状態を示しており、音声入力は電話機Ｔの音声入力部に直接行われる。」（３頁３〜４欄）
　
　ホ．「【００１８】次に、音声パターンが音声記憶部１３に予め記憶された後における音声入力、音声出力、ファクシミリ送信開始の手順について、ファクシミリ装置Ｆを実際に自動発呼するときの手順に従って説明する。先ず、発呼先の電話番号を音声で入力して、ファクシミリ送信するときの一例について、実際の音声を列記して説明する。
【００１９】音声動作モード選択用の押しボタンＳを押して音声動作モードを選択すると、ファクシミリ装置Ｆから「発呼先の電話番号あるいは短縮番号をどうぞ」と音声出力される。使用者は、この指示に従って、発呼先の電話番号、例えば「０６−３５３−０５１７」と音声入力する。
【００２０】これに対して、ファクシミリ装置Ｆから、「発呼先は、０６−３５３−０５１７ですね？」と音声で若しくは表示部に出力される。続いて、ファクシミリ装置Ｆから、「よろしければ、ＯＫ誤りの場合はＮＯといって下さい。」と音声で若しくは表示部に出力される。そこで、使用者は、「ＯＫ」と音声若しくはキーで入力する。
【００２１】すると、ファクシミリ装置Ｆから、「０６−３５３−０５１７に発呼します。」と音声で若しくは表示部に出力される。その後、ファクシミリ装置Ｆのオートダイヤラー１７が作動して発呼先を自動発呼し、ファクシミリ通信手順の前手順が実行される。そして、高速モデムが作動し、画像データが発呼先に伝送される。
【００２２】この伝送が終了すると、ファクシミリ通信手順の後手順が実行された後、ファクシミリ装置Ｆから、「０６−３５３−０５１７に送信を完了しました。」と音声で若しくは表示部に出力される。上記動作において、ファクシミリ装置Ｆで受けて音声出力される電話番号が間違っている場合には、「ＮＯ」と音声若しくはキーで入力し、あらためて、正しい電話番号を音声入力すると、ファクシミリ装置Ｆは、この正しい短縮番号を受け付けて、上記一連の動作を実行して、ファクシミリ送信が行われる。
【００２３】上記一連の手順によって、使用者からの音声入力とファクシミリ装置Ｆからの音声若しくは表示部上のメッセージ出力で、電話番号などを確認しながら発呼先に対してファクシミリ伝送を行うことができる。次に、発呼先（この例では、ＡＢＣカンパニーとする。）の短縮番号（この例では、ワンタッチＡとする。）を音声で入力して、ファクシミリ送信するときの一例について、実際の音声を列記して説明する。
【００２４】音声動作モード選択用の押しボタンＳを押して音声動作モードを選択すると、ファクシミリ装置Ｆから「発呼先の電話番号あるいは短縮番号をどうぞ」と音声出力される。使用者は、この指示に従って、発呼先の短縮番号、例えば「ＡＢＣカンパニー」と音声入力する。
【００２５】これに対して、ファクシミリ装置Ｆから、「発呼先は、ＡＢＣカンパニーですね？」と音声若しくは表示部上に出力される。続いて、ファクシミリ装置Ｆから、「よろしければ、ＯＫ誤りの場合はＮＯといって下さい。」と音声若しくは表示部上に出力される。そこで、使用者は、「ＯＫ」と音声若しくはキーで入力する。
【００２６】すると、ファクシミリ装置Ｆから、「ワンタッチＡ、ＡＢＣカンパニー、０３−１２３−４５６７に発呼します。」と音声で若しくは表示部上に出力される。その後、ファクシミリ装置Ｆのオートダイヤラー１７が作動して自動発呼し、ファクシミリ通信手順の前手順が実行される。そして、高速モデムが作動し、画像データが発呼先に伝送される。」（３頁４欄〜４頁５欄）
　
　ヘ．「【００２９】
【発明の効果】以上説明したように、請求項１の音声入力型通信装置では、予め音声記憶部に記憶された使用者の音声パターンと、音声入力部より入力された音声とを音声認識部で判別した後、音声出力部から音声メッセージ若しくは表示部上にメッセージを確認のために出力させるようにしたので、テンキーやワンタッチキーを操作する煩わしさがなく、且つその音声確認率が向上される。
【００３０】請求項２の音声入力型通信装置と請求項３の音声入力型通信装置では、音声入力によって発呼先の電話番号を受付けて、自動発呼するようにしているので、テンキーやワンタッチキーを操作する煩わしさがない。また、受付可能な音声パターンは予め登録しており、発呼前に音声入力を受け付けた後は、音声メッセージによって確認してから自動発呼するので、音声認識が確実に行われ、誤認識が生じることがない。」（４頁６欄）
　
　
　上記引用例１の記載及び関連する図面ならびにこの分野における技術常識を考慮すると、
　まず、引用例１記載の「音声入力型通信装置」は、上記イ．、ロ．【０００１】、図３，４にあるような「ファクシミリ装置、電話機などの音声入力型通信装置」であって、
　上記ハ．【００１２】、図１にあるように、「使用者の音声パターンを記憶する音声記憶部１３」と、「通信に必要な音声を入力するための音声入力部１４」と、「前記音声入力部１４により入力された音声を前記音声記憶部１３に記憶された音声パターンと比較判別する音声認識部１５」と、「自動発呼機能を実現するオートダイヤラー１７」を有するものである。
　また、引用例１記載の「音声入力型通信装置」は、上記ニ．【００１７】、ホ．【００１９】、図３，４にあるように「音声動作モード選択用の押しボタンＳ」をも有しており、
　上記ニ．【００１５】、【００１６】、ホ．【００１９】〜【００２１】、【００２５】などの記載によれば、『前記音声動作モード選択用の押しボタンＳを押して音声動作モードを選択し、前記音声入力部１４により発呼先の電話番号あるいは短縮番号を音声入力すると、前記音声認識部１５で、入力された電話番号あるいは短縮番号と音声記憶部１３に記憶された音声パターンとが一致しているかどうかが比較判別され、一致したときには、ユーザ確認の後、前記オートダイヤラー１７によりダイヤル発呼する』ものである。
　したがって、引用例１には以下の発明（以下、「引用発明１」という。）が開示されている。 
　
（引用発明１） 
 「使用者の音声パターンを記憶する音声記憶部１３と、
　通信に必要な音声を入力するための音声入力部１４と、
　音声動作モード選択用の押しボタンＳと、
　前記音声入力部１４により入力された音声を前記音声記憶部１３に記憶された音声パターンと比較判別する音声認識部１５と、
　自動発呼機能を実現するオートダイヤラー１７と、を有し、
　前記音声動作モード選択用の押しボタンＳを押して音声動作モードを選択し、前記音声入力部１４により発呼先の電話番号あるいは短縮番号を音声入力すると、前記音声認識部１５で、入力された電話番号あるいは短縮番号と音声記憶部１３に記憶された音声パターンとが一致しているかどうかが比較判別され、一致したときには、ユーザ確認の後、前記オートダイヤラー１７によりダイヤル発呼するようにしたファクシミリ装置、電話機などの音声入力型通信装置。」
　
　
　Ｂ．同じく原審で通知した拒絶理由に引用した、特開２００３−１５２８５６号公報（以下、「引用例２」という。）には、「通信端末装置、通信方法、およびそのプログラム」として、図面とともに以下の記載がある。 
　
　イ．「【０００１】
【発明の属する技術分野】本発明は、通信端末装置、通信方法、およびそのプログラムに関し、特に、音声により電話番号および発信相手先名を入力し、音声により発信動作を行う通信端末装置、通信方法、およびそのプログラムに関する。」（４頁５欄）
　
　ロ．「【００１３】本発明は、上記問題点に鑑みてなされたものであり、発信する相手先の名前と電話番号とを音声により容易に記録し、発声するだけで記録した相手先の電話番号に容易に発信する通信端末装置、通信方法、およびそのプログラムを提供することを目的とする。」（５頁７欄）
　
　ハ．「【００４６】
【発明の実施の形態】（第１の実施形態）通信端末装置１０は、通常の公衆回線と有線で接続されている電話機であってもよいし、携帯電話機、ＰＨＳ、あるいはＰＤＡであってもよい。また、以下説明する構成を有することが可能なものであれば、他の機器であってもよい。
【００４７】図１は、本発明の第１の実施形態における通信端末装置１０の構成を示す図である。以下、図１を用いて、本実施形態における通信端末装置１０の構成および動作について説明する。
【００４８】通信端末装置１０は、電話回線１１と、音声認識部１２と、発信先記録部１３と、電話番号記録部１４と、制御部１５と、学習ＳＷ（学習スイッチ）１６と、開始ＳＷ（開始スイッチ）１７と、マイク１８と、スピーカ１９と、電話番号発信部２０と、音声合成部２１と、表示部２２と、を有する。」（７頁１２欄）
　
　ニ．「【０１００】図６は、本発明の第１の実施形態における通信端末装置１０による発信動作の流れを示すフローチャートである。以下、図１を用い、図６に沿って、本実施形態における通信端末装置１０による発信動作について説明する。
【０１０１】まず、制御部１５は、音声認識を用いた発信動作が行われるか否かを判断する。すなわち、制御部１５は、開始ＳＷ１７が押下されたか否かを判断する（ステップＳ２０１）。
【０１０２】音声認識を用いた発信動作が行われないと判断された場合（ステップＳ２０１／Ｎｏ）、ユーザによる発信相手先名の発声を用いない発信動作が行われる（ステップＳ２１０）。つまり、通常の発信時のように、テンキー等を用いた直接入力による発信か、あるいは電話番号記録部１４に記録されている電話番号から相手先の電話番号を選択して発信を行う。
【０１０３】音声認識を用いた発信動作が行われると判断された場合、すなわち、開始ＳＷ１７が押下されたと判断された場合（ステップＳ２０１／Ｙｅｓ）、音声認識部１２は、音声認識を開始する（ステップＳ２０２）。
【０１０４】次に、制御部１５は、電話番号記録部１４に記録されている発信相手先名がマイク１８から入力されたか否かを判断する。発信相手先名が入力されたと判断されると（ステップＳ２０３）、音声認識部１２は、入力された音声（発信相手先名）の認識を行う（ステップＳ２０４）。
【０１０５】制御部１５は、音声認識部１２が入力された音声を認識できたか否かを判断する。つまり、入力された発信相手先名が発信先記録部１３に記録されているか否かを判断する（ステップＳ２０５）。
【０１０６】音声認識部１２が入力された音声を認識したと判断された場合（ステップＳ２０５／Ｙｅｓ）、制御部１５は、認識された発信相手先名に関連づけられた電話番号が電話番号記録部１４に記録されているか否かを判断する（ステップＳ２０７）。
【０１０７】認識された発信相手先名に関連づけられた電話番号が電話番号記録部１４に記録されていると判断された場合（ステップＳ２０７／Ｙｅｓ）、制御部１５は、電話番号記録部１４から電話番号を読み込む（ステップＳ２０８）。電話番号発信部２０は、読み込まれた電話番号に発信を行う（ステップＳ２０９）。」（１０頁１８欄〜１１頁１９欄）
　
　上記引用例２の記載及び関連する図面ならびにこの分野における技術常識を考慮すると、
　まず、引用例２記載の「通信端末装置」は、上記イ．、ロ．にあるように、「音声により電話番号および発信相手先名を入力し、音声により発信動作を行う」、音声認識型の「通信端末装置」であり、上記ハ．【００４６】にあるように「携帯電話機」として構成可能なものである。
　また、引用例２記載の「通信端末装置」（携帯電話機）は、上記ハ．【００４８】、図１にあるように、音声認識開始のための「開始スイッチＳＷ１７」や、音声入力用の「マイク１８」を備え、
　上記ニ．【０１０３】、図６にあるように、「開始ＳＷ１７が押下されたと判断された場合（ステップＳ２０１／Ｙｅｓ）、音声認識部１２は、音声認識を開始する（ステップＳ２０２）」ものであるから、『音声認識開始スイッチＳＷ１７が押下された場合にマイク１８から入力された音声を認識して発信処理を行うように構成された携帯電話機』である。
　そして、上記摘記事項ニ．【０１０７】および図６にあるように、一連の動作の後「ステップＳ２０９」で電話番号の発信が行われた後に「ＥＮＤ」となり、音声認識を用いた発信動作が終了するものであるが、ここで通話終了後再び発信動作を行う場合を想定すると、動作は図６の「ＳＴＡＲＴ」に戻り、この時上記ニ．【０１０２】に「ステップＳ２０１／Ｎｏ」、「ステップＳ２１０」としてあるように、「開始ＳＷ１７」を押下せず、音声認識を用いない通常の発信動作を選択すると、「テンキー等を用いた直接入力による発信」を行うことができるものである。
　したがって、引用例２には以下の発明（以下、「引用発明２」という。）が開示されている。 
　
（引用発明２）
「音声認識開始スイッチＳＷ１７が押下された場合にマイク１８から入力された音声を認識して発信処理を行うように構成された携帯電話機において、前記音声認識を用いた発信処理が終了した場合には、マイク１８から入力された音声を認識して発信処理することに代えて、テンキー等を用いた直接入力による発信を行うことができるように構成された携帯電話機。」
　
　
４．対比・判断 
　本願発明と上記引用発明１を対比すると、 
　まず、引用発明１の「ファクシミリ装置、電話機などの音声入力型通信装置」は、「音声入力部１４」により入力された音声を「音声認識部１５」で「音声認識」するものであり、「ユーザ確認」などの応答も行うから、「音声認識/応答型」の通信装置であって、特に引用例１図４を見れば携帯型の電話機でもあるから、「音声認識/応答型携帯電話」である点において、本願発明と一致する。
　また、引用発明１の「音声入力部１４」は、「通信に必要な音声を入力する」ものであり、携帯電話の態様においては「発呼先の電話番号あるいは短縮番号を音声入力する」のみならず、電話機としての通話にも使用されるのは技術常識であるから、本願発明の「受話手段」に相当する。
　また、引用発明１の「音声記憶部１３」は、少なくとも「使用者の音声パターン」を記憶するものであり、該「音声パターン」は、「音声認識部１５」で「入力された電話番号あるいは短縮番号」と「比較判別」されて「ダイヤル発呼」するためのもので、「電話番号」が入力された場合は、「電話番号」の音声に対応して発信する機能が実行され、「短縮番号」が入力された場合は、「短縮番号」の音声に対応して発信する機能が実行されることが明らかであり、これによれば、引用発明１の「音声記憶部１３」関連部分は総体として、「所定の音声と該所定の音声に対応して実行する機能とを関連付けて記憶する」ものといえるから、本願発明の「音声パターン格納手段」に相当する。
　また、引用発明１の「音声認識部１５」は、「音声入力部１４」により入力された音声を「音声記憶部１３」に記憶された「音声パターン」と「比較判別」するもので、技術常識から判断して「音声入力部１４」により入力された音声を解読する手段といえるから、本願発明の「解読手段」に相当する。
　また、上記のことから明らかなように、引用発明１は、「解読手段で解読された音声と前記音声パターン格納手段に格納された前記所定の音声とが一致したとき、該所定の音声と関連付けて記憶される機能を実行する」点において、本願発明と一致する。
　また、引用発明１の「自動発呼機能を実現するオートダイヤラー１７」は、「相手先へ発信する電話発信機能」を有することも当然であり、
　引用発明１の「発呼先の電話番号」とは「発信番号」であり、「音声入力」であるから「発信番号に係る音声」であって、「前記解読手段によって解読された音声」であり、
　引用発明１は、「入力された電話番号」と「音声記憶部１３に記憶された音声パターンとが一致しているかどうかが比較判別され、一致したときには、ユーザ確認の後、前記オートダイヤラー１７によりダイヤル発呼」するものであるから、結局、電話機の制御動作の総体として、「前記音声パターン格納手段は、発信番号に係る音声と相手先へ発信する電話発信機能とを関連付けて記憶し、前記解読手段によって解読された音声が前記発信番号であったとき、該発信番号へ発信する」点において、本願発明と一致する。
　したがって、両者は以下の点で一致し、また相違している。 
　
（一致点） 
 「利用者からの音声を受ける受話手段と、
　前記受話手段で受けた音声を解読する解読手段と、
　所定の音声と該所定の音声に対応して実行する機能とを関連付けて記憶する音声パターン格納手段とを有し、
　前記解読手段で解読された音声と前記音声パターン格納手段に格納された前記所定の音声とが一致したとき、該所定の音声と関連付けて記憶される機能を実行する音声認識／応答型携帯電話であって、
　前記音声パターン格納手段は、発信番号に係る音声と相手先へ発信する電話発信機能とを関連付けて記憶し、
　前記解読手段によって解読された音声が前記発信番号であったとき、該発信番号へ発信する音声認識／応答型携帯電話。」
　
（相違点） 
　本願発明は、「発信番号への発信が完了すると、前記受話手段で音声を受けることに代えて、操作部で前記実行する機能を受け付ける」のに対し、引用発明１は、そのような要件を欠く点。 
　
　
　上記相違点について検討する。
　まず、一般に複数の機能や動作モードを有する装置が、特定の機能実行後、どのような動作状態（モード）に遷移するかは,当業者が必要に応じ定め得る設計的事項であるが、音声認識機能を有する装置が絶えず音声認識機能を有効にしたままでは、誤動作、誤操作などの不都合があろうことも自明なことである。
　引用発明１は、このための対策として「音声動作モード選択用の押しボタンＳを押して音声動作モードを選択」するものであって、「音声動作モード選択用の押しボタンＳ」を押す以前には、引用例１の図１にある「操作部７」などで通常のキー操作が可能であろうことも技術常識である。
　そして、引用例１のニ．【００１６】などの記載によれば、「音声動作モード」における動作中は、音声入力と並列に「操作部７」による「ＮＯ」、「ＯＫ」などのキー入力が可能であることの記載はあるが、発信完了後に該「操作部７」が有効であるか否かについては引用例１に明記は見あたらない。
　一方、引用例２には、「音声認識開始スイッチＳＷ１７が押下された場合にマイク１８から入力された音声を認識して発信処理を行うように構成された携帯電話機において、前記音声認識を用いた発信処理が終了した場合には、マイク１８から入力された音声を認識して発信処理することに代えて、テンキー等を用いた直接入力による発信を行うことができるように構成された携帯電話機。」の発明（引用発明２）が記載され、この「音声認識開始スイッチＳＷ１７」は、引用発明１の「音声動作モード選択用の押しボタンＳ」に相当するものであることは明らかである。
　そして、引用発明２によれば、音声認識による発信処理が終了した後は、受話手段で音声を受けることに代えて、操作部で実行する機能を受付けることは公知である。
　したがって、上記引用発明２を引用発明１に組み合わせることによって、引用発明１において、「発信番号への発信が完了すると、前記受話手段で音声を受けることに代えて、操作部で前記実行する機能を受け付ける」ように構成することは、当業者が適宜に採用可能なものである。
　
　また、別の観点によれば、携帯電話機の態様の引用発明１において、引用例１に明記はないが「発信番号への発信が完了」すると「受話手段」を用いた通常の音声通話が開始されるから、音声認識としての受話手段の入力は行われないのは当然であり、例えば通話の終了などの操作は「操作部」によるキー操作で行われるのも技術常識であるから、「発信番号への発信が完了すると、前記受話手段で音声を受けることに代えて、操作部で前記実行する機能を受け付ける」ように構成することは、当業者が適宜なし得ることでもある。
　したがって、いずれにせよ上記相違点は格別のものではない。 
　
　そして、本願発明の作用効果は、引用発明１、及び引用発明２または技術常識から当業者が予測できる範囲のものである。 
　
　
５．むすび 
　以上のとおり、本願発明は、引用発明１、及び引用発明２または技術常識に基づいて、当業者が容易に発明をすることができたものであるから、特許法第２９条第２項の規定により特許を受けることができない。 
　よって、結論のとおり審決する。